(57)【要約】【課題】小型化および高さの減少(低背化)が可能な照明器具を提供する。【解決手段】光源モジュール41は、器具本体15の一端側にて器具本体15の中心軸L1に対して交差する方向にずれた位置に配置されて器具本体15の一端側から光を出射する。基板部42は、ＬＥＤを点灯させる点灯回路57が実装されている。基板部42は、器具本体15内にて光源モジュール41の側方の位置に配置される。バッテリパック17は、器具本体15内にて光源モジュール41に対向するとともに器具本体15の他端側に配置される。端子台18は、器具本体15内にて基板部42に対して光源モジュール41およびバッテリパック17と反対側に配置され、外部電源と接続される。【選択図】図１
2016066498.tif 000002
【特許請求の範囲】
【請求項１】
一端側が開口した筒状の器具本体と；
発光素子を有し、前記器具本体の一端側にてこの器具本体の中心軸に対して交差する方向にずれた位置に配置されてこの器具本体の一端側から光を出射する光源モジュールと；
前記発光素子を点灯させる点灯回路が実装され、前記器具本体内にて前記光源モジュールの側方の位置に配置される基板部と；
前記器具本体内にて前記光源モジュールに対向するとともに前記器具本体の他端側に配置され、前記発光素子に電力を供給するバッテリパックと；
前記器具本体内にて前記基板部に対して前記光源モジュールおよび前記バッテリパックと反対側に配置され、外部電源と接続される端子台と；
を具備していることを特徴とする照明装置。
【請求項２】
器具本体内にて端子台に対向するとともに前記器具本体の一端側に収納され、前記端子台と前記基板部とを電気的に接続するコネクタ；
を具備していることを特徴とする請求項１記載の照明装置。
【請求項３】
前記光源モジュールと前記基板部とは、前記器具本体に対して一体的に一端側から着脱される
ことを特徴とする請求項１または２記載の照明装置。
【発明の詳細な説明】
【技術分野】
【０００１】
本発明の実施形態は、発光素子を有する光源モジュールを備えた照明装置に関する。
【背景技術】
【０００２】
従来、通常時に光源を商用交流電源などの外部電源で点灯させ、外部電源の停電時などの非常時にバッテリの電源により光源を点灯させるようにした非常灯対応の照明装置がある。このような照明装置の光源として、従来はミニハロゲンランプが用いられていたが、近年ではミニハロゲンランプに代えてＬＥＤが用いられてきている。
【０００３】
このような照明装置において、天井に埋め込む場合には、その埋め込み高さの制約に対応することが必要になる。上記のようにＬＥＤを光源として用いると、ミニハロゲンランプを光源として用いる場合のような大きな反射板が不要であるため、小型化が可能となっているものの、より一層の小型化および高さの減少(低背化)が求められている。
【先行技術文献】
【特許文献】
【０００４】
【特許文献１】特開２０１２−７９４９９号公報
【発明の概要】
【発明が解決しようとする課題】
【０００５】
本発明が解決しようとする課題は、小型化および高さの減少(低背化)が可能な照明装置を提供することである。
【課題を解決するための手段】
【０００６】
実施形態の照明装置は、器具本体と、光源モジュールと、基板部と、バッテリパックと、端子台とを有する。器具本体は、一端側が開口した筒状である。光源モジュールは、発光素子を有している。また、この光源モジュールは、器具本体の一端側にてこの器具本体の中心軸に対して交差する方向にずれた位置に配置されてこの器具本体の一端側から光を出射する。基板部は、発光素子を点灯させる点灯回路が実装されている。また、この基板部は、器具本体内にて光源モジュールの側方の位置に配置される。バッテリパックは、器具本体内にて光源モジュールに対向するとともに器具本体の他端側に配置される。また、このバッテリパックは、発光素子に電力を供給する。端子台は、器具本体内にて基板部に対して光源モジュールおよびバッテリパックと反対側に配置され、外部電源と接続される。
【発明の効果】
【０００７】
本発明によれば、器具本体の一端側にてこの器具本体の中心軸に対して交差する方向にずれた位置に光源モジュールを配置し、その光源モジュールの側方に基板部を配置するとともに、器具本体の他端側に光源モジュールに対向してバッテリパックを配置し、かつ、基板部に対して光源モジュールおよびバッテリパックと反対側に端子台を配置するので、器具本体内のスペースを有効に利用して、小型化および高さの抑制(低背化)が期待できる。
【図面の簡単な説明】
【０００８】
【図１】一実施形態の照明装置の一部を示し、(a)は上方からの透視図、(b)は下方からの透視図である。
【図２】同上照明装置の一部を示す側方からの透視図である。
【図３】同上照明装置のユニット部の分解斜視図である。
【図４】同上照明装置の光源モジュールの分解斜視図である。
【図５】同上照明装置のユニット部を下方から示す分解斜視図である。
【図６】(a)は同上ユニット部を下方から示す斜視図、(b)はユニット部を上方から示す斜視図である。
【図７】同上照明装置の器具本体からユニット部が外れた状態を示す斜視図である。
【図８】同上照明装置の化粧枠が外れた状態を下方から示す斜視図である。
【図９】同上照明装置を下方から示す斜視図である。
【図１０】同上照明装置を上方から示し、(a)は一側からの斜視図、(b)は他側からの斜視図である。
【図１１】同上照明装置の分解斜視図である。
【図１２】同上照明装置を示す斜視図である。
【発明を実施するための形態】
【０００９】
以下、一実施形態の構成を、図面を参照して説明する。
【００１０】
図１０ないし図１２において、11は照明装置としての照明器具であり、この照明器具11は、例えば天井面などに開口された取付部である埋込孔に埋設される非常灯として用いられるものである。そして、この照明器具11は、一端側である下端側が開口した略円筒状の器具本体15を備えており、この器具本体15内には、ユニット部16、非常点灯用のバッテリパック17、商用交流電源などの外部電源と電気的に接続される端子台18、および、この端子台18とユニット部16とを電気的に接続するコネクタである中継コネクタ19がそれぞれ収納されている。
【００１１】
また、器具本体15は、開口と反対側の他端側である上側に位置する有蓋円筒状の本体部21と、この本体部21の下端部に対して着脱可能な円形状(円環状)の化粧枠22とを備えている。さらに、この器具本体15の両側には、器具本体15を埋込孔に保持するための細長い板状の金属製の板ばねである一対の取付けばね23，23が化粧枠22に取り付けられている。
【００１２】
本体部21は、有蓋円筒状に形成されており、外周面に、取付けばね23，23を取り付けるための一対のばね取付用開口25，25と、化粧枠22を係止するための対をなす(一対の)係止用開口26，26と、ユニット部16を固定するための一対のユニット固定用開口27，27と、端子台18を露出させる端子台用開口28とがそれぞれ開口されている。また、この本体部21の上端部には、取付けばね23，23の逃げとなる逃げ部29，29が外側部に凹部を有して設けられている。そして、この本体部21の上面部(天面部)には、端子台18を固定するための端子台固定用開口30が開口されている。
【００１３】
ばね取付用開口25，25は、本体部21(器具本体15)の下端部の位置にて、径方向に互いに反対側の位置に開口されている。すなわち、これらばね取付用開口25，25により、取付けばね23，23が器具本体15の径方向に互いに反対側の位置(器具本体15(本体部21)の中心軸L1に対して互いに反対側の位置)に位置して、この径方向に沿って外方へと延出している。したがって、これらばね取付用開口25，25から器具本体15の側方に突出する取付けばね23，23は、器具本体15の直径(径方向)に沿って下方に向けて付勢力(保持力)を作用させるようになっている。すなわち、これら取付けばね23，23による付勢力の作用線は、器具本体15の軸方向と直交する直径方向(径方向)となっている。なお、以下、この作用線に沿う器具本体15(照明器具11)の軸直方向、すなわち中心軸L1と直交する方向(直径方向)の中心線L2を基準として、その一側方を一側、他側方を他側というものとする。
【００１４】
係止用開口26，26は、本体部21(器具本体15)の下端寄りの位置にて、ばね取付用開口25，25と交差(直交)する径方向に互いに反対側の位置、すなわち本体部21(器具本体15)の一側および他側に開口されている。
【００１５】
ユニット固定用開口27，27は、本体部21(器具本体15)の下端寄りの位置にて、一側の係止用開口26と、ばね取付用開口25，25との間の位置に開口されている。そして、このユニット固定用開口27，27には、水平状、すなわち本体部21(器具本体15)の軸直方向に沿ってユニット部16の固定用のブラケット27a，27aが本体部21(器具本体15)の内部に向けて突設されている。
【００１６】
端子台用開口28は、本体部21(器具本体15)の上端寄りの位置にて、他側の係止用開口26の上方の位置、すなわち本体部21(器具本体15)の他側に開口されている。
【００１７】
逃げ部29，29は、照明器具11を埋込孔に取り付ける際に、取付けばね23，23の先端側を器具本体15の径方向の中心側(中心軸L1側)、すなわち内側へと屈曲可能とするものである。これら逃げ部29，29を設けることで、取付けばね23，23の先端側を器具本体15の径方向の中心側(中心軸L1側)、すなわち内側へと屈曲できるので、照明器具11の埋込孔への取り付けがより容易になる。
【００１８】
端子台固定用開口30は、本体部21(器具本体15)の上面部の他側、すなわちユニット固定用開口27，27と反対側の位置に開口されている。
【００１９】
化粧枠22は、円環状に形成された板状の化粧枠本体33と、この化粧枠本体33の厚み方向にて上方に突出する係止部材である係止ばね34，34とを備えている。
【００２０】
化粧枠本体33は、天井面に対して下方から当接する部分であり、本体部21よりも外径寸法が大きく形成されて本体部21の下端部に対してフランジ状に突出している。この化粧枠本体33には、光が下方に出射する円形状の出射開口36が中央部から一側にずれた位置に開口されているとともに、この出射開口36の他側に、複数の円形状の開口部37が中心線L2に沿う方向に並んで開口されている。
【００２１】
係止ばね34，34は、化粧枠本体33の上面側、すなわち本体部21側の外縁寄りの位置にて一側および他側に取り付けられている。これら係止ばね34，34は、本体部21の係止用開口26，26に対して器具本体15の軸直方向に沿って弾性的に挿入されることで、化粧枠22を本体部21の下端部に係止固定するようになっている。
【００２２】
取付けばね23，23は、一端側が器具本体15の一端側である下端側の外側部のばね取付用開口25，25に取り付けられた長尺板ばね状のばね本体23a，23aと、これらばね本体23a，23aの先端部に屈曲された引掛部23b，23bとを備え、器具本体15の側方に突出されている。
【００２３】
図３、図５および図６に示すユニット部16は、光源モジュール41と、基板部42と、これら光源モジュール41および基板部42を保持するケース体43とを備えている。
【００２４】
図１、図２および図４に示す光源モジュール41は、ユニット部16を器具本体15内に取り付けた状態で、化粧枠22の出射開口36を介して器具本体15の下端部から下方へと光を出射するものであり、光源基板46と、この光源基板46を覆うモジュールケース47と、このモジュールケース47に保持された配向制御部材としての制光体であるドーム状のレンズ48とを備えている。すなわち、この光源モジュール41は、ユニット部16を器具本体15内に取り付けた状態で、中央部が、器具本体15内にてこの器具本体15の中心軸L1に対して交差する方向(径方向である軸直方向)にずれた(オフセットした)位置に配置されている(図１(a)、図１(b)および図２)。具体的に、この光源モジュール41は、その全体が器具本体15の中心軸L1から外れた位置に配置されているのではなく、器具本体15の中心軸L1に対して、中央部でない一部が交差する位置に配置されている。
【００２５】
光源基板46は、平板状に形成され、一主面である下面の略中央部に、発光素子(半導体発光素子)であるＬＥＤ49が実装されているとともに、これらＬＥＤ49に対して他側に、基板部42とＬＥＤ49とを電気的に接続するコネクタ50が実装されている。
【００２６】
ＬＥＤ49は、光源基板46の下面にて中央部に配置されており、全体がレンズ48により覆われている。そして、このレンズ48により、ＬＥＤ49からの光が、所定の規格により規定された配光特性となるように拡散されている。
【００２７】
モジュールケース47は、光源基板46を下部に固定し備え相対的に上側に位置する略円形状の基板固定部52と、レンズ48が保持され光源基板46が臨む開口53aを備え相対的に下側に位置する略有底円筒状の例えば金属製のカバー部53とを備えている。また、基板固定部52の径方向に互いに反対側の位置、および、カバー部53の径方向に互いに反対側の位置には、それぞれ被固定部である腕部52b，52b、および、カバー被固定部であるカバー腕部53b，53bが中心線L2と略平行な方向に沿って突設されている。そして、基板固定部52とカバー部53とは、例えばねじなどの固定部材54，54により腕部52b，52bおよびカバー腕部53b，53bの位置で互いに固定されるようになっており、これら腕部52b，52bおよびカバー腕部53b，53bの位置でケース体43に係止されるようになっている。すなわち、光源モジュール41は、ケース体43に対して下方から着脱可能となっている。
【００２８】
レンズ48は、ユニット部16を器具本体15内に取り付けた状態で、出射開口36に嵌合され、化粧枠22よりも下方に突出するようになっている。このレンズ48は、光源基板46と対向する面に複数の凸部を備え、それら複数の凸部が光源基板46の端部と当接することにより、光源基板46とレンズ48とは位置決めされてもよい。
【００２９】
なお、以下、光源モジュール41の中央部とは、光源モジュール41(ＬＥＤ49)の光軸の位置、あるいは、レンズ48(出射開口36)の中心軸の位置などをいうものとする。
【００３０】
図１ないし図３に示す基板部42は、板状に形成されており、図示しない電子部品が実装されてＬＥＤ49を点灯させる点灯回路57およびバッテリパック17を充電する充電回路58が形成されている。この基板部42は、ユニット部16を器具本体15内に取り付けた状態で、器具本体15内にて光源モジュール41の側方(他側)の位置、具体的には光源モジュール41の中央部に対して器具本体15(本体部21)の中心軸L1側の側方に配置される。本実施形態では、光源モジュール41の中央部と、基板部42との間に器具本体15(本体部21)の中心軸L1が位置する。すなわち、この基板部42は、ユニット部16を器具本体15内に取り付けた状態で、上下方向に沿って面方向を有し、この器具本体15(本体部21)の径方向および中心線L2に対して平行で、かつ、器具本体15(本体部21)の直径および中心線L2の近傍(本実施形態では中心線L2上から側方に僅かに離間された位置)に配置されるようになっている。換言すれば、この基板部42は、ユニット部16を器具本体15(本体部21)に取り付けた状態で、各面が中心線L2の側方である一側および他側に向くように、すなわち、基板部42の各主面と中心線L2とが平行となるようになっている。したがって、この基板部42の位置は、器具本体15の中心軸L1近傍、すなわち、中心軸L1の位置からの距離が器具本体15の外周面からの距離に対して小さい位置となっている(図１(a)および図１(b))。さらに、この基板部42の下端部は、光源モジュール41(モジュールケース47(カバー部53))の下端部(下面)と略面一となっている(図２)。また、この基板部42の下端部の一側面、すなわち光源モジュール41側に対向する側面には、図６に示す保守点検用の機能性部品であるスイッチ61、保守点検用の機能性部品である点検用の複数のモニタランプ62、および、保守点検用の機能性部品であるリモコン送受信(通信)用の通信デバイス63，64がそれぞれ実装されている。なお、通信デバイス63，64の一方は受信用の通信デバイスであり、他方は送信用の通信デバイスである。さらに、この基板部42の下端寄りの一側面には、図１に示すように、ＬＥＤ49(光源基板46)と点灯回路57とを電気的に接続するコネクタ部67が実装されている。そして、この基板部42の上端部側の一側面には、点灯回路57とバッテリパック17とを電気的に接続する接続コネクタ68、および、点灯回路57と端子台18とを、中継コネクタ19を介して電気的に接続する電源接続コネクタ69がそれぞれ実装されている。
【００３１】
図６に示すスイッチ61、モニタランプ62および通信デバイス63，64は、基板部42の一側面に沿って略直線状に並んでおり、光源モジュール41の他側に位置し、化粧枠22の開口部37にそれぞれ嵌合または対向して照明器具11(器具本体15)の下部に露出している(図９)。
【００３２】
そして、スイッチ61は、外部操作によってＬＥＤ49の状態、バッテリパック17の充電状態などを点検する図示しない点検回路を動作させる点検モードの始動用のものである。
【００３３】
モニタランプ62は、スイッチ61の操作により点検回路が動作したときに、この点検回路による点検結果を表示(報知)するものである。
【００３４】
通信デバイス63，64は、例えば赤外線受信手段および赤外線送信手段であり、外部のリモコンからの遠隔操作によって上記点検回路を動作させる点検モードを選択可能となっている。
【００３５】
図１に示すコネクタ部67は、図示しないリード線を介して、光源基板46のコネクタ50と電気的に接続されている。
【００３６】
接続コネクタ68は、ケース体43の一側部から外部に露出しており、先端側がバッテリパック17に対向している。
【００３７】
電源接続コネクタ69は、ケース体43の上部から外部に露出しており、先端側が上方に向けられている。そして、この電源接続コネクタ69は、中継コネクタ19と電気的に接続される。
【００３８】
図３、図５、図６(a)および図６(b)に示すケース体43は、例えば合成樹脂などにより形成され、光源モジュール41、バッテリパック17および中継コネクタ19を支持する下部ケース71と、この下部ケース71の上部を覆って基板部42を下部ケース71との間に収容する上部ケース72とを備えている。
【００３９】
下部ケース71の下部、すなわちユニット部16を器具本体15に収容した状態で化粧枠22(化粧枠本体33、図１１)の上部に対向する位置には、光源モジュール41が嵌着される略円形状の嵌着凹部75が形成されているとともに、この嵌着凹部75の径方向の互いに反対側の位置に、光源モジュール41をモジュールケース47の腕部52b，52bおよびカバー腕部53b，53bの位置で係止する爪部76，76が下方に突設されている。また、この下部ケース71には、嵌着凹部75の一側にて、器具本体15(本体部21)のユニット固定用開口27，27のブラケット27a，27aに対して下方から重ねられて例えばねじなどのユニット固定部材78，78により固定される板状のブラケットであるユニット被固定部79，79が延設されている。また、この下部ケース71の上部には、一側に、バッテリパック17を支持および収容するバッテリパック収容部82が上方に開口する凹部を有して設けられ、このバッテリパック収容部82に隣接する他側に、基板部42の下部を収容する下部基板収容部83が上方に開口する凹部を有して設けられている。そして、この下部ケース71には、下部基板収容部83に隣接する他側、すなわちユニット部16を器具本体15(図１)内に収容した状態で器具本体15(本体部21)の内周面に対向する他側部(基板部42の他側)に、中継コネクタ19を収容するコネクタ収容部84が下方に開口する凹部を有して設けられている。
【００４０】
嵌着凹部75の他側には、この嵌着凹部75と下部基板収容部83とを連通して図示しないリード線などを挿通する挿通開口75aが開口されている。
【００４１】
バッテリパック収容部82は、嵌着凹部75の背後である上方、すなわち光源モジュール41の上方に位置している。すなわち、このバッテリパック収容部82は、基板部42に対して一側に位置している。また、このバッテリパック収容部82の内部には、下部基板収容部83側である他側に、上部ケース72を係止するための係止突起85，85が突設されている。
【００４２】
下部基板収容部83は、基板部42の下側を収容するとともに、上方が上部ケース72によって覆われる部分である。この下部基板収容部83は、一部(一側部)が嵌着凹部75、すなわち光源モジュール41の背後である上方に位置し、残りの他部が嵌着凹部75(光源モジュール41)の背後ではない他側に位置している。また、この下部基板収容部83の他側の下端部すなわち底部には、嵌着凹部75の他側の位置に、スイッチ61、モニタランプ62および通信デバイス63，64を露出させるための円形状の連通開口部86がそれぞれ開口されているとともに、基板部42を固定するための図示しない一対の下部基板固定部が設けられている。
【００４３】
連通開口部86は、ユニット部16を器具本体15内に収容した状態で化粧枠22の開口部37のそれぞれの上方に重ねられてこれら開口部37と連通するようになっている。
【００４４】
下部基板固定部は、中心線L2と略平行となるように互いに対向して上下方向に沿って溝状に形成されており、基板部42が上方からスライド挿入され、この基板部42の両端部の下端を保持するようになっている。
【００４５】
コネクタ収容部84は、中継コネクタ19、および、この中継コネクタ19に接続される図示しないリード線などを収容する空間部を内部に区画している。このコネクタ収容部84の内部には、中継コネクタ19を保持するためのコネクタ保持部である保持爪部89が、例えば他側から一側に向けて突設されている。
【００４６】
一方、上部ケース72は、下側が開放された蓋状となっており、内部が下部基板収容部83と連通する上部基板収容部となっている。すなわち、この上部ケース72は、基板部42の上側を覆うようになっている。この上部ケース72の内部の上部には、図示しないが、基板部42の両端部の上端を保持するための上部基板固定部が中心線L2と略平行となるように互いに対向して上下方向に沿って溝状に形成されている。また、この上部ケース72の下端部の一側には、下部ケース71の係止突起85，85に係止される係止爪91，91が突設されている。また、この上部ケース72の上部には、接続コネクタ68を露出させるための露出開口92が一側に向けて開口されているとともに、電源接続コネクタ69を露出させるためのコネクタ露出開口93が上方に向けて開口されている。
【００４７】
また、図１および図２に示すバッテリパック17は、光源モジュール41に対向するとともに器具本体15の他端側(上側)に配置され、非使用時には端子台18を介して外部電源から供給される電力によって充電されるとともに、非常時(少なくとも外部電源の電力供給停止時)または点検時には点灯用の電力を供給するものである。このバッテリパック17は、複数のバッテリ95が図示しない薄膜状のフィルムによって纏められたシュリンクパックであり、専用のケースなどを備えていない。そして、バッテリ95は、例えばニカド電池、ニッケル水素電池、あるいはリチウムイオン電池などの充電可能な電池であり、互いに電気的に直列に接続されている。
【００４８】
図１および図２などに示す端子台18は、外部電源からＬＥＤ49の点灯用の電力およびバッテリパック17のバッテリ95の充電用の電力が供給されるもので、器具本体15(照明器具11)の外部では、外部電源と電源線である図示しないケーブルを介して電気的に接続され、器具本体15の内部では、中継コネクタ19を介して基板部42の点灯回路57および充電回路58と電気的に接続されるものである。この端子台18は、一対の接続部97，97を備えており、これら接続部97，97が上下に並ぶように取付けブラケット98に取り付けられている。この取付けブラケット98は、例えば金属などにより形成されており、ケース体43の下部ケース71のコネクタ収容部84の上部の位置に配置される。したがって、コネクタ収容部84に収容される中継コネクタ19は、端子台18に対して下方、すなわち器具本体15の一端側である下端側に位置している。そして、この取付けブラケット98の上端部には、器具本体15(本体部21)の端子台固定開口30に挿入係止される舌片状の係止片部98aが他側に突設されており、この係止片部98aが器具本体15(本体部21)の上面に対して、上方から重ねられて例えばねじなどの端子台固定部材99により上方から固定されている。この結果、図１０(a)および図１０(b)に示すように、端子台18が端子台用開口28の位置に露出し、接続部97，97には、ケーブルが側方から器具本体15(本体部21)の接線方向に沿って略水平方向に挿入接続されるようになっている。
【００４９】
図１(a)、図２および図８に示す中継コネクタ19は、長手状に形成されており、コネクタ収容部84に対して下方から、中心線L2の方向に沿って収容されて保持爪部89により保持されるようになっている。この中継コネクタ19は、端子台18と図示しないリード線などにより電気的に接続された端子台側コネクタ19aと、電源接続コネクタ69を介して基板部42(ユニット部16側)と電気的に接続されたユニット側コネクタ19bとを備えている。
【００５０】
そして、図１ないし図１２に示すように、ユニット部16を組み立てる際には、まず、基板部42の下部を下部ケース71の下部基板固定部に固定して下部基板収容部83に収容するとともに、上部ケース72を被せて係止爪91，91を係止突起85，85に係止することで基板部42をケース体43内に収容する(図３)。この状態で、各コネクタ68，69が上部ケース72の各露出開口92，93から露出する。次いで、別途組み立てた光源モジュール41を、ケース体43の挿通開口75aを介して基板部42と電気的に接続しつつ、嵌着凹部75に嵌着し、各腕部52b，53b，52b，53bの位置で爪部76，76によってケース体43に係止し、ユニット部16を完成する(図５および図６)。
【００５１】
また、端子台18を器具本体15に取り付ける際には、本体部21内に、端子台18を固定した取付けブラケット98を挿入し、係止片部98aを端子台固定用開口30に係止した状態で端子台固定部材99により固定するとともに、この端子台18に対して中継コネクタ19の端子台側コネクタ19aをリード線により電気的に接続する。
【００５２】
そして、照明器具11を天井面に取り付ける際には、まず、外部電源（交流電源など）が供給されるケーブルを端子台18の接続部97，97にそれぞれ側方から器具本体15(本体部21)の接線方向に沿って挿入接続する。
【００５３】
次に、各取付けばね23を器具本体15(本体部21)の側面に沿わせるように弾性変形させて保持した状態で、照明器具11を埋込孔に下方から挿入する。
【００５４】
各取付けばね23の引っ掛け部23bが埋込孔より上方に移動したら、各取付けばね23の保持を解除する。これにより、各取付けばね23が弾性変形に対する反発力によって器具本体15の側方に展開し、埋込孔の上縁部に当接して照明器具11を上方へ引き上げ、化粧枠22の化粧枠本体33の上面が天井面に当接し、器具本体15(本体部21)の設置が完了する。
【００５５】
さらに、バッテリパック17を、ユニット部16のバッテリパック収容部82に収容するとともに、接続コネクタ68を介して基板部42(充電回路58)と電気的に接続する。
【００５６】
そして、ユニット部16をバッテリパック17とともに、本体部21の下端部から本体部21の内部へと挿入し、ケース体43のユニット被固定部79，79を本体部21のブラケット27a，27aに重ね、ユニット固定部材78，78により固定する(図７)。この結果、ユニット部16が本体部21の内部に収納される(図８)。
【００５７】
さらに、リード線により電源接続コネクタ69と電気的に接続された中継コネクタ19のユニット側コネクタ19bを端子台側コネクタ19aと接続し、リード線の余剰長さ分をコネクタ収容部84内に纏める。
【００５８】
そして、化粧枠22を本体部21の下端部から挿入し、係止ばね34，34を係止用開口26，26に本体部21の内方から係止させることで化粧枠22を本体部21に取り付け、出射開口36から光源モジュール41を露出させるとともに、各開口部37からスイッチ61、モニタランプ62および通信デバイス63，64を露出させ、器具本体15内にユニット部16、バッテリパック17、端子台18および中継コネクタ19を収容した照明器具11の取り付けが完了する(図９)。
【００５９】
この照明器具11は、器具本体15の内部において、器具本体15の中心軸L1に対して光源モジュール41の中央部(ＬＥＤ49の光軸)が側方にずれた位置となり、この光源モジュール41の一側に基板部42が配置され、この基板部42に対して一側でかつ光源モジュール41の上方にバッテリパック17が配置され、かつ、基板部42に対して他側に端子台18と中継コネクタ19とが上下に配置された状態となる。
【００６０】
端子台18から外部電源が供給された照明器具11は、基板部42の点灯回路57が常時点灯回路を有している場合には、常時点灯回路から定電流をＬＥＤ49に供給し、ＬＥＤ49を常時点灯させるとともに、充電回路58がバッテリパック17のバッテリ95を必要に応じて充電する。また、停電などの非常時には、バッテリパック17のバッテリ95から電力が供給された点灯回路57の非常時点灯回路がＬＥＤ49を非常時点灯させる。すなわち、点灯回路57が常時点灯回路を有している場合には、点灯回路57の常時点灯回路が非常時点灯回路に切り換わる。
【００６１】
また、天井面に取り付けた照明器具11のメンテナンスの際には、組み立てのときと逆順で、ユニット部16およびバッテリパック17を器具本体15から順次取り外す。すなわち、まず、化粧枠22の係止ばね34，34を係止用開口26，26から取り外して化粧枠22を本体部21から取り外す(図８)。この状態で露出したユニット部16は、コネクタ収容部84内で中継コネクタ19の端子台側コネクタ19aとユニット側コネクタ19bとを互いに取り外す(図８の想像線)。そして、ユニット固定部材78，78を外し、ユニット部16をバッテリパック17とともに本体部21から下方に引き出す(図７)。バッテリパック17の交換が必要である場合には、バッテリパック17を、接続コネクタ68との接続を取り外して交換する。また、光源モジュール41、あるいは基板部42の交換が必要である場合には、ユニット部16ごと交換する。
【００６２】
以上説明した一実施形態では、一端側が開口した筒状の器具本体15の一端側にて、器具本体15の中心軸L1に対して交差する方向に中央部がずれた位置に光源モジュール41を配置し、点灯回路57を実装した基板部42を光源モジュール41の側方(器具本体15の中心軸L1側の側方)の位置に配置し、器具本体15の他端側で光源モジュール41に対向してバッテリパック17を配置し、かつ、基板部42に対して光源モジュール41およびバッテリパック17と反対側に端子台18を配置した。
【００６３】
すなわち、例えば光源モジュール41を器具本体15の中心軸L1と同軸に配置する場合、光源モジュール41の周囲にスペースが取りにくく、基板部42を光源モジュール41の背後、すなわち光源モジュール41に対して他端側に対向する位置に配置することとなり、光源モジュール41の厚みと基板部42の高さとを加算した高さが器具本体15に必要となるのに対して、本実施形態では、光源モジュール41の中央部を器具本体15の中心軸L1から側方にずらすことで、光源モジュール41の周囲に基板部42を配置するスペースを形成し、器具本体15の高さを実質的に基板部42に必要な高さのみを確保すればよい。したがって、光源モジュール41の背後に基板部42を配置する場合と比較して、光源モジュール41、基板部42、バッテリパック17および端子台18を効率よく器具本体15内に実装でき、小型化および(埋込)高さの減少すなわち低背化が実現できる。
【００６４】
しかも、光源モジュール41の中央部が器具本体15の中心軸L1から側方にずれているため、側方に配置した基板部42も、器具本体15の中心軸L1に接近した位置に配置される。したがって、この基板部42を器具本体15の径方向に沿って長く取ることができ、実装面積をより大きくすることができる。
【００６５】
具体的に、光源モジュール41の背後に基板部42を配置する従来の場合には、照明器具11の高さが１３０ｍｍ程度であったのに対して、本実施形態の配置を採用することで、６０〜８０ｍｍ程度と、約５０％〜６０％程度の低背化が可能になる。
【００６６】
しかも、器具本体15内の上端から下端までの高さの略全体を基板部42の高さに有効に利用できるので、器具本体15内での基板部42の実装面積を広く取ることができ、部品実装に有利となる。
【００６７】
また、光源モジュール41の側方に配置した基板部42に保守点検用のスイッチ61、モニタランプ62および通信デバイス63，64を実装して開口部37から確認可能としたので、確認作業が機能的となる。
【００６８】
さらに、端子台18は、上方に露出しておらず、水平方向に沿ってケーブルが挿入接続されるので、器具本体15の上面からケーブルが挿入されることがなく、端子台18が器具本体15の外方に突出しないため、端子台18とケーブルとの接続部分に埃が付着することを防ぐことができる。
【００６９】
また、器具本体15内にて端子台18と基板部42(ユニット部16側)とを電気的に接続する中継コネクタ19を端子台18に対向して器具本体15の一端側に配置することで、施工や保守交換の際に、この中継コネクタ19により、基板部42を備えるユニット部16を端子台18側から分離して器具本体15(本体部21)から引き出すことができるとともに、化粧枠22を取り外すと中継コネクタ19が器具本体15(本体部21)の下部に露出することで、中継コネクタ19に対して下方からのアクセスが可能で、着脱作業もストレスが少ない。さらに、端子台18と中継コネクタ19とを接続するリード線を必要以上に長くすることがなく、器具本体15およびユニット部16のケース体43のコネクタ収容部84も必要以上に広くせずに済むなど、省スペースとなる。また、コネクタ収容部84には、リード線の余長部分を収容できるとともに、保持爪部89を設けて中継コネクタ19を保持できる。この結果、安全面に配慮した端子台18の実装に対して、施工性がより容易になる。
【００７０】
そして、ＬＥＤ49とそれに適合した出力を有する点灯回路57との整合性の確認が光学性能を確保する上で必要になるため、器具本体15(本体部21)に対して下端側から一体的に着脱できるようにすることで、光源モジュール41(ＬＥＤ49)と基板部42(点灯回路57)とをユニット部16ごと交換可能としたので、ＬＥＤ49とそれに適合した出力を有する点灯回路57との組み合わせを維持でき、常に性能を維持できる。
【００７１】
しかも、ユニット部16のケース体43(下部ケース71)を利用して光源モジュール41を保持するため、この光源モジュール41を器具本体15内に保持するための構成や部品などが別途不要であり、部品点数を削減して低コスト化できる。
【００７２】
また、バッテリパック17のパッケージを簡素化したシュリンクパックとしたので、このバッテリパック17を配置するための器具本体15内のスペースは、複数のバッテリ95分の大きさと略同等でよく、より小型化が可能になるとともに、バッテリ95を器具本体15内のデッドスペースに配置するために形状を凝らした専用のケースなどが不要であり、ケースの複雑な設計および製造が不要で、かつ、部品点数の削減が可能になるなど、より低コスト化できる。
【００７３】
なお、上記一実施形態において、点灯回路57は、少なくとも非常時点灯回路を有していれば、常時点灯回路は必須の構成ではない。すなわち、照明器具11は非常時にのみ点灯するようにしてもよい。
【００７４】
また、発光素子としては、ＬＥＤ49以外でも、例えばレーザダイオードなどの発光素子、あるいは、有機ＥＬ素子(ＯＬＥＤ)などを用いることもできる。
【００７５】
さらに、照明器具11としては、埋込孔に埋め込まれる埋込形以外でも、例えば天井面に直接取り付ける、いわゆる直付形にも適用できる。
【００７６】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００７７】
11    照明装置としての照明器具
15    器具本体
17    バッテリパック
18    端子台
19    コネクタである中継コネクタ
41    光源モジュール
42    基板部
49    発光素子であるＬＥＤ
57    点灯回路
L1    中心軸
【図１】
2016066498.tif 000003
【図２】
2016066498.tif 000004
【図３】
2016066498.tif 000005
【図４】
2016066498.tif 000006
【図５】
2016066498.tif 000007
【図６】
2016066498.tif 000008
【図７】
2016066498.tif 000009
【図８】
2016066498.tif 000010
【図９】
2016066498.tif 000011
【図１０】
2016066498.tif 000012
【図１１】
2016066498.tif 000013
【図１２】
2016066498.tif 000014